(57)【要約】【課題】機能設定のための操作性がさらに向上された画像形成装置を提供する。【解決手段】パネルカスタマイズキー３７を押下した後、機能キー（変更対象機能キー）を押下すると、その機能キーについてＨＤＤに記憶されている設定情報を列挙したウィンドウ３８が表示される。そして、そのウィンドウ３８に列挙された項目の中から「４．サイズ」の項目を選択して押下すると、サイズ入力ウィンドウ３９が表示され、変更対象機能キーの新たな表示サイズをテンキーから入力できるようになる。新たな表示サイズを入力すると、その入力した表示サイズがＨＤＤに書き込まれる。その後、パネルカスタマイズキー３７を押下すると、パネルカスタマイズモードは終了し、このパネルカスタマイズモードで書き換えられたＨＤＤの記憶データに基づいて、レイアウト変更されたページが液晶表示器３２の表示画面に表示される。【選択図】        図４
2005045370.tif 000002
【特許請求の範囲】
【請求項１】
使用者によって任意に設定可能な複数の機能を有する画像形成装置であって、各機能を設定するために操作される複数の機能キーをレイアウトした機能設定画面を表示可能なタッチパネル式の表示器と、
機能設定画面において各機能キーをレイアウトするための情報を記憶したレイアウト情報記憶手段と、
このレイアウト情報記憶手段に記憶されている情報に基づいて、各機能キーをレイアウトした機能設定画面を上記表示器に表示させる表示制御手段と、
上記機能設定画面での表示位置を変更すべき機能キーを指定するための位置変更対象機能キー指定手段と、
この位置変更対象機能キー指定手段によって指定された機能キーの新たな表示位置を入力するための表示位置入力手段と、
上記位置変更対象機能キー指定手段によって指定された機能キーについて、上記レイアウト情報記憶手段に記憶されている表示位置に関する情報を、上記表示位置入力手段からの入力に応じて書き換える表示位置情報書換手段と
を含むことを特徴とする画像形成装置。
【請求項２】
上記機能設定画面での表示サイズを変更すべき機能キーを指定するためのサイズ変更対象機能キー指定手段と、
このサイズ変更対象機能キー指定手段によって指定された機能キーの新たな表示サイズを入力するための表示サイズ入力手段と、
上記サイズ変更対象機能キー指定手段によって指定された機能キーについて、上記レイアウト情報記憶手段に記憶されている表示サイズに関する情報を、上記表示サイズ入力手段からの入力に応じて書き換える表示サイズ情報書換手段と
をさらに含むことを特徴とする請求項１記載の画像形成装置。
【請求項３】
使用者によって任意に設定可能な複数の機能を有する画像形成装置であって、
各機能を設定するために操作される複数の機能キーをレイアウトした機能設定画面を表示可能なタッチパネル式の表示器と、
機能設定画面において各機能キーをレイアウトするための情報を記憶したレイアウト情報記憶手段と、
このレイアウト情報記憶手段に記憶されている情報に基づいて、各機能キーをレイアウトした機能設定画面を上記表示器に表示させる表示制御手段と、
上記機能設定画面での表示サイズを変更すべき機能キーを指定するためのサイズ変更対象機能キー指定手段と、
このサイズ変更対象機能キー指定手段によって指定された機能キーの新たな表示サイズを入力するための表示サイズ入力手段と、
上記サイズ変更対象機能キー指定手段によって指定された機能キーについて、上記レイアウト情報記憶手段に記憶されている表示サイズに関する情報を、上記表示サイズ入力手段からの入力に応じて書き換える表示サイズ情報書換手段と
を含むことを特徴とする画像形成装置。
【請求項４】
使用者によって任意に設定可能な複数の機能を有する画像形成装置であって、
各機能を設定するために操作される複数の機能キーをレイアウトした機能設定画面を表示可能なタッチパネル式の表示器と、
各機能キーのプライオリティを記憶したプライオリティ記憶手段と、
このプライオリティ記憶手段の記憶内容に基づいて、上記複数の機能キーをそれぞれのプライオリティに応じてレイアウトした機能設定画面を上記表示器に表示させる表示制御手段と
を含むことを特徴とする画像形成装置。
【請求項５】
プライオリティを変更すべき機能キーを指定するためのプライオリティ変更対象機能キー指定手段と、
このプライオリティ変更対象機能キー指定手段によって指定された機能キーの新たなプライオリティを入力するためのプライオリティ入力手段と、
上記プライオリティ変更対象機能キー指定手段によって指定された機能キーについて、上記プライオリティ記憶手段に記憶されているプライオリティを、上記プライオリティ入力手段からの入力に応じて書き換えるプライオリティ書換手段と
をさらに含むことを特徴とする請求項４記載の画像形成装置。
【発明の詳細な説明】
【０００１】
【発明の属する技術分野】
この発明は、複写機、ファクシミリ装置およびプリンタならびにこれらの機能を併有した複合機などの画像形成装置に関する。
【０００２】
【従来の技術】
複写機などの画像形成装置では、タッチパネル式の液晶表示器を備え、その液晶表示器の表示画面上で画像形成動作に関する各種機能の設定を行うようにしたものが主流になってきている。液晶表示器の表示画面には、各種機能を設定するための多数の機能キーが整列して表示され、それらの機能キーの操作によって各種機能の設定を行うことができる。
【０００３】
液晶表示器の表示画面に表示される機能キーの数は、画像形成装置が有する機能の数に対応する。そのため、多機能の画像形成装置では、すべての機能キーを１つの画面に表示させようとすると、画面構成が煩雑になり、機能キーの操作が困難になる。
そこで、そのような多機能の画像形成装置では、液晶表示器の表示画面を複数ページ（複数画面）で構成して、その複数ページに多数の機能キーを振り分けて表示するようになっている。たとえば、画像形成装置の有する機能が一般に使用頻度の高いと思われる基本機能および一般に使用頻度の低いと思われる応用機能などに分類されて、第１ページに基本機能に関する機能キーが表示され、第２ページに応用機能に関する機能キーが表示される。また、下記特許文献１では、基本機能に関する機能キーの表示ページに、使用者が任意の機能を割り付けることのできる「お好みキー」を設けることにより、機能設定のための操作性を向上させる提案がなされている。
【０００４】
【特許文献１】
特開平４−３３９４５４号公報
【０００５】
【発明が解決しようとする課題】
ところが、各ページに表示される機能キー（「お好みキー」を含む。）の表示位置および表示サイズは、使用者にとって必ずしも操作しやすい位置およびサイズとは限らず、さらなる操作性の向上が望まれていた。
そこで、この発明の目的は、機能設定のための操作性がさらに向上された画像形成装置を提供することである。
【０００６】
【課題を解決するための手段および発明の効果】
上記の目的を達成するための請求項１記載の発明は、使用者によって任意に設定可能な複数の機能を有する画像形成装置であって、各機能を設定するために操作される複数の機能キーをレイアウトした機能設定画面（３５）を表示可能なタッチパネル式の表示器（３１，３２）と、機能設定画面において各機能キーをレイアウトするための情報を記憶したレイアウト情報記憶手段（５）と、このレイアウト情報記憶手段に記憶されている情報に基づいて、各機能キーをレイアウトした機能設定画面を上記表示器に表示させる表示制御手段（４３）と、上記機能設定画面での表示位置を変更すべき機能キーを指定するための位置変更対象機能キー指定手段（３１，４１）と、この位置変更対象機能キー指定手段によって指定された機能キーの新たな表示位置を入力するための表示位置入力手段（３１，４１；３３）と、上記位置変更対象機能キー指定手段によって指定された機能キーについて、上記レイアウト情報記憶手段に記憶されている表示位置に関する情報を、上記表示位置入力手段からの入力に応じて書き換える表示位置情報書換手段（４２）とを含むことを特徴とする画像形成装置である。
【０００７】
なお、括弧内の英数字は、後述の実施形態における対応構成要素等を表す。以下、この項において同じ。
上記の構成によれば、位置変更対象機能キー指定手段によって表示位置を変更すべき機能キーを指定して、その指定した機能キーの新たな表示位置を表示位置入力手段から入力すると、当該機能キーについてレイアウト情報記憶手段に記憶されている表示位置の情報が更新（書換え）される。そして、その更新後の情報に基づいて表示器が制御されることにより、当該機能キーを新たな表示位置にレイアウトした機能設定画面が表示器に表示される。
【０００８】
よって、使用者が頻繁に使用する機能キーを操作しやすい位置に表示させることができ、そうすることにより、その使用者にとっての操作性を向上させることができる。
請求項２記載の発明は、上記機能設定画面での表示サイズを変更すべき機能キーを指定するためのサイズ変更対象機能キー指定手段（３１，４１）と、このサイズ変更対象機能キー指定手段によって指定された機能キーの新たな表示サイズを入力するための表示サイズ入力手段（３３）と、上記サイズ変更対象機能キー指定手段によって指定された機能キーについて、上記レイアウト情報記憶手段に記憶されている表示サイズに関する情報を、上記表示サイズ入力手段からの入力に応じて書き換える表示サイズ情報書換手段（４２）とをさらに含むことを特徴とする請求項１記載の画像形成装置である。
【０００９】
この構成によれば、サイズ変更対象機能キー指定手段によって表示サイズを変更すべき機能キーを指定して、その指定した機能キーの新たな表示サイズをサイズ入力手段から入力すると、当該機能キーについてレイアウト情報記憶手段に記憶されている表示サイズの情報が更新（書換え）される。そして、その更新後の情報に基づいて表示器が制御されることにより、当該機能キーを新たな表示サイズでレイアウトした機能設定画面が表示器に表示される。
【００１０】
よって、使用者が頻繁に使用する機能キーを操作しやすい位置に操作しやすいサイズで表示させることができ、そうすることにより、その使用者にとっての操作性を格段に向上させることができる。
請求項３記載の発明は、使用者によって任意に設定可能な複数の機能を有する画像形成装置であって、各機能を設定するために操作される複数の機能キーをレイアウトした機能設定画面（３５）を表示可能なタッチパネル式の表示器（３１，３２）と、機能設定画面において各機能キーをレイアウトするための情報を記憶したレイアウト情報記憶手段（５）と、このレイアウト情報記憶手段に記憶されている情報に基づいて、各機能キーをレイアウトした機能設定画面を上記表示器に表示させる表示制御手段（４３）と、上記機能設定画面での表示サイズを変更すべき機能キーを指定するためのサイズ変更対象機能キー指定手段（３１，４１）と、このサイズ変更対象機能キー指定手段によって指定された機能キーの新たな表示サイズを入力するための表示サイズ入力手段（３３）と、上記サイズ変更対象機能キー指定手段によって指定された機能キーについて、上記レイアウト情報記憶手段に記憶されている表示サイズに関する情報を、上記表示サイズ入力手段からの入力に応じて書き換える表示サイズ情報書換手段（４２）とを含むことを特徴とする画像形成装置である。
【００１１】
この構成によれば、サイズ変更対象機能キー指定手段によって表示サイズを変更すべき機能キーを指定して、その指定した機能キーの新たな表示サイズをサイズ入力手段から入力すると、当該機能キーについてレイアウト情報記憶手段に記憶されている表示サイズの情報が更新（書換え）される。そして、その更新後の情報に基づいて表示器が制御されることにより、当該機能キーを新たな表示サイズでレイアウトした機能設定画面が表示器に表示される。
【００１２】
よって、使用者が頻繁に使用する機能キーを操作しやすいサイズで表示させることができ、そうすることにより、その使用者にとっての操作性を向上させることができる。
請求項４記載の発明は、使用者によって任意に設定可能な複数の機能を有する画像形成装置であって、各機能を設定するために操作される複数の機能キーをレイアウトした機能設定画面（３５）を表示可能なタッチパネル式の表示器（３１，３２）と、各機能キーのプライオリティを記憶したプライオリティ記憶手段（５）と、このプライオリティ記憶手段の記憶内容に基づいて、上記複数の機能キーをそれぞれのプライオリティに応じてレイアウトした機能設定画面を上記表示器に表示させる表示制御手段（４３）とを含むことを特徴とする画像形成装置である。
【００１３】
この構成によれば、複数の機能キーをそれぞれのプライオリティに応じてレイアウトした機能設定画面が表示器に表示される。
機能キーのプライオリティは、機能キーの使用頻度（重要度）に応じて設定された優先度を表し、たとえば、機能設定画面を上段および下段の２段に構成して、使用頻度の高い機能キーが所定の大サイズで上段に表示され、使用頻度低い機能キーが所定の小サイズで下段に表示されるようにすることによって、使用者による機能設定のための操作性を向上させることができる。
【００１４】
請求項５記載の発明は、プライオリティを変更すべき機能キーを指定するためのプライオリティ変更対象機能キー指定手段（３１，４１）と、このプライオリティ変更対象機能キー指定手段によって指定された機能キーの新たなプライオリティを入力するためのプライオリティ入力手段（３３）と、上記プライオリティ変更対象機能キー指定手段によって指定された機能キーについて、上記プライオリティ記憶手段に記憶されているプライオリティを、上記プライオリティ入力手段からの入力に応じて書き換えるプライオリティ書換手段（４２）とをさらに含むことを特徴とする請求項４記載の画像形成装置である。
【００１５】
この構成によれば、プライオリティ変更対象機能キー指定手段によってプライオリティを変更すべき機能キーを指定して、その指定した機能キーの新たなプライオリティをプライオリティ入力手段から入力すると、当該機能キーについてプライオリティ記憶手段に記憶されているプライオリティが更新（書換え）される。そして、その更新後の情報に基づいて表示器が制御されることにより、当該機能キーを新たなプライオリティに応じたレイアウトした機能設定画面が表示器に表示される。
【００１６】
よって、使用者が頻繁に使用する機能キーのプライオリティを適切に設定することにより、使用者にとって操作しやすいレイアウトで機能キーを表示させることができる。
【００１７】
【発明の実施の形態】
以下では、この発明の実施の形態を、添付図面を参照して詳細に説明する。
図１は、この発明の一実施形態に係る複写機の電気的構成を示すブロック図である。この複写機は、原稿画像を光学的に読み取って、その原稿画像に対応するアナログ画像信号を出力する画像読取部１と、用紙上にトナー像を形成する画像形成部２と、この画像形成部２による画像形成動作に関する各種機能の設定を行うための操作表示部３と、これらを制御するための制御部４とを備えている。
【００１８】
画像読取部１は、たとえば、ＣＣＤイメージセンサと、このＣＣＤイメージセンサと原稿とを相対的に移動させるための走査機構とを含む構成であり、画像読取部１による原稿画像の読取りは、ＣＣＤイメージセンサによる電気的な主走査と、走査機構によるＣＣＤイメージセンサの原稿に対する相対的な移動による副走査とによって達成される。
画像形成部２は、電子写真プロセスによって用紙上にトナー像を形成するものである。すなわち、画像形成部２は、感光体、この感光体に静電潜像を書き込むためのレーザ走査ユニット、感光体に書き込まれた静電潜像をトナー像に現像するための現像装置、感光体表面のトナー像を用紙上に転写するための転写装置、および用紙上に転写されたトナー像を定着させるための定着装置などを含む。
【００１９】
操作表示部３は、タッチパネル３１付きの液晶表示器（ＬＣＤ）３２と、数値入力のためのテンキー３３とを備えていて、使用者が操作および視認しやすい位置（たとえば、複写機本体の前面上部など）に配置されている。タッチパネル３１は、たとえば、透明シート状に形成された抵抗膜方式のものであって、液晶表示器３２上に積層して設けられており、その表面が使用者の指先で押下されると、その押下された位置に応じた検出信号を出力する。
【００２０】
液晶表示器３２の表示画面には、図２に示すように、複写機の状態を表すメッセージ（「コピーできます」などのメッセージ）を表示するためのメッセージ表示部３４と、複写機が有する各種機能を設定するための機能キーを表示するための機能キー表示部３５とが表示されている。機能キー表示部３５は、「基本」、「ユーザー機能」、「機能リスト」および「プログラム」の４つのページ（画面）で構成されており、各種機能を設定するための機能キーは、各機能キーによって設定可能な機能が属する分類に応じたページに表示されるようになっている。すなわち、一般に使用頻度の高いと思われる基本的な機能を設定するための機能キー（たとえば、用紙サイズ設定キー、濃度設定キーなど）は、「基本」ページに表示される。また、「ユーザ−機能」ページには、使用者が事前に登録した機能（ユーザー機能）を設定するための機能キーが表示され、「機能リスト」ページには、「基本」ページおよび「ユーザー機能」ページで表示される機能キー以外の機能キーがリスト形式で表示される。これらの４つのページは、機能キー表示部３５の最下部に設けられたタブ３５１，３５２，３５３，３５４を操作（選択押下）することによって、機能キー表示部３５に切り換えて表示させることができる。
【００２１】
また、機能キー表示部３５の右側には、ジャンプキー３６およびパネルカスタマイズキー３７が上下に並べて配置されている。ジャンプキー３６は、使用者が任意の機能キーを割り付けることができるキーであり、このジャンプキー３６を押下することによって、その割り付けられた機能キーによる機能を設定する画面を一発表示させることができる。また、パネルカスタマイズキー３７は、機能キー表示部３５のレイアウト（各ページにおける機能キーの表示サイズおよび表示位置）を変更するためのパネルカスタマイズモードを開始および終了する際に押下されるキーである。パネルカスタマイズモードについては、後に詳しく説明する。
【００２２】
図１を再び参照して、制御部４は、マイクロコンピュータを含む構成であって、このマイクロコンピュータがプログラム処理を実行することにより、座標取得部４１、画面データ管理部４２および表示制御部４３を実質的に備えている。
タッチパネル３１の検出信号は、座標取得部４１に入力されるようになっている。座標取得部４１は、タッチパネル３１の表面に沿った左右方向およびこれに直交する方向をそれぞれＸ方向およびＹ方向として、タッチパネル３１の検出信号に基づいて、液晶表示器３２の表示画面（タッチパネル３１）上で使用者の指先が押下した位置のＸ座標およびＹ座標（ポインティング位置座標）を取得する。座標取得部４１によって取得されたポインティング位置座標は、画面データ管理部４２に与えられる。
【００２３】
画面データ管理部４２には、液晶表示器３２の表示画面に表示される各種機能キーの表示サイズおよび表示位置などのデータを保持しておくためのＨＤＤ（ハードディスクドライブ）５が接続されている。画面データ管理部４２は、ＨＤＤ５から液晶表示器３２の表示画面を構成するためのデータを読み出して、その読み出したデータ（画面構成データ）を表示制御部４３に与える。表示制御部４３は、画面データ管理部４２から与えられる画面構成データに基づいて、液晶表示器３２の表示画面に機能キー表示部３５などを表示させる。また、こうして機能キー表示部３５が表示された画面上で機能キーが押下されると、画面データ管理部４２は、座標取得部４１から入力されるポインティング位置座標およびＨＤＤ５の記憶データに基づいて、機能キー表示部３５に表示されている機能キーのうちのどの機能キーが押下されたかを特定する。さらに、画面データ管理部４２には、テンキー３３が接続されていて、画面データ管理部４２は、パネルカスタマイズモードにおいて、タッチパネル３１およびテンキー３３が操作されて、機能キー表示部３５に表示される機能キーのレイアウトが変更されると、その変更内容に従ってＨＤＤ５の記憶データを書き換える。
【００２４】
制御部４はさらに、画像読取部１から出力されるアナログ画像信号をＡ／Ｄ変換して得られるディジタル画像データに対して各種の処理を施すための画像処理部４４と、画像形成部２の動作を制御するための画像形成制御部４５とを備えている。画像処理部４４による処理後の画像データは、画像形成制御部４５に与えられるようになっている。また、画像形成制御部４５には、画面データ管理部４２から使用者によって押下された機能キーを特定した結果が入力されるようになっている。画像形成制御部４５は、画像形成部２を制御し、使用者による機能キーの操作によって設定された機能に従って、画像処理部４４から与えられる画像データに基づく画像を用紙上に形成させる。
【００２５】
図３は、パネルカスタマイズモードで機能キーの表示サイズ（縦×横サイズ）および表示位置を変更する場合の手順の一例を説明するための図である。また、図４は、その手順に従って両面／分割キーの表示サイズおよび表示位置を変更する場合の液晶表示器３２の表示画面の遷移を示す図である。
使用者は、まず、液晶表示器３２の表示画面上でタブ３５１，３５２，３５３，３５４を操作（押下）して、表示サイズおよび表示位置を変更させたい機能キー（以下「変更対象機能キー」という。）が含まれるページを表示させる。たとえば、「ユーザー機能」ページに含まれる両面／分割キーの表示サイズおよび表示位置を変更したい場合には、タブ３５２を押下して、図４（ａ）に示すように、機能キー表示部３５に「ユーザー機能」ページを表示させる。
【００２６】
次に、パネルカスタマイズモードを開始させるために、液晶表示器３２の表示画面上でパネルカスタマイズキー３７を押下する（ステップＳ１）。つづいて、変更対象機能キーを押下すると（ステップＳ２）、その変更対象機能キーについてＨＤＤ５に記憶されている設定情報を列挙したウィンドウ（情報一覧ウィンドウ）３８が機能キー表示部３５上に重ねて表示される（ステップＳ３）。たとえば、図４（ｂ）に示す表示画面上で、パネルカスタマイズキー３７を押下した後、変更対象機能キーである両面／分割キーを押下すると、図４（ｃ）に示すように、機能キー表示部３５上に重なってウィンドウ３８が現れ、そのウィンドウ３８に両面／分割キーのキー名称、表示／非表示の別、キー色、表示サイズ、文字サイズ、プライオリティおよび表示位置などの情報（項目）が一覧表示される。
【００２７】
この後、使用者は、情報一覧ウィンドウ３８に表示された項目の中から変更したい項目の１つである「４．サイズ」を選択して押下する（ステップＳ４）。すると、図４（ｄ）に示すように、情報一覧ウィンドウ３８が閉じられて、変更対象機能キーの新たな表示サイズを入力するためのウィンドウ３９が機能キー表示部３５上に重なって表示される。このサイズ入力ウィンドウ３９が表示されている状態で、変更対象機能キーの新たな表示サイズをテンキーから入力することができる（ステップＳ５）。新たな表示サイズをテンキーから入力すると、その入力した表示サイズが変更対象機能キーの新たな表示サイズとしてＨＤＤ５に書き込まれる（ステップＳ６）。たとえば、両面／分割キーの表示サイズとして「１０×２０」がＨＤＤ５に記憶されている場合に、テンキーから「１５」および「３０」を順に入力すると、ＨＤＤ５に記憶されている両面／分割キーの表示サイズ「１０×２０」が新たな表示サイズ「１５×３０」に書き換えられる。また、変更対象機能キーの新たな表示サイズを入力すると、サイズ入力ウィンドウ３９が自動的に閉じられて、図４（ｅ）に示すように、その新たな表示サイズの入力による変更内容が反映された情報一覧ウィンドウ３８が機能キー表示部３５上に重ねて表示される。
【００２８】
つづいて、変更対象機能キーの表示位置を変更するために、情報一覧ウィンドウ３８に表示された項目の中から「７．位置」の項目を選択して押下する（ステップＳ７）。すると、情報一覧ウィンドウ３８が閉じられて、変更対象機能キーを含むページが機能キー表示部３５に表示された状態になる。この状態で、当該ページ内の任意の位置を指先で押下すると（ステップＳ８）、その押下した位置が変更対象機能キーの新たな表示位置としてＨＤＤ５に書き込まれる（ステップＳ９）。より具体的には、指先で押下した位置のＸ座標およびＹ座標が座標取得部４１によって取得されて、その取得されたＸ座標およびＹ座標のデータが座標取得部４１から画面データ管理部４２に与えられる。そして、画面データ管理部４２によって、ＨＤＤ５に記憶されている変更対象機能キーの表示位置を表すＸ座標およびＹ座標のデータが座標取得部４１から入力されたＸ座標およびＹ座標のデータに書き換えられる。
【００２９】
その後、パネルカスタマイズキー３７を押下すると（ステップＳ１０）、パネルカスタマイズモードは終了し、このパネルカスタマイズモードで書き換えられたＨＤＤ５の記憶データに基づいて、レイアウト（変更対象機能キーの表示サイズおよび表示位置）の変更されたページが機能キー表示部３５に表示される。たとえば、両面／分割キーの表示サイズが「１５×３０」に変更された後、その両面／分割キーの新たな表示位置として、図４に破線で示す位置が使用者の指先で押下された場合、パネルカスタマイズキー３７が押されると、図４（ｆ）に示すように、その指先で押下された位置に「１５×３０」のサイズの両面／分割キーが配置されたページが機能キー表示部３５に表示される。
【００３０】
以上のように、この実施形態によれば、機能キー表示部３５に表示される各ページ内において、そのページに含まれる機能キーの表示サイズおよび表示位置を変更することができる。よって、使用者が頻繁に使用する機能キーを操作しやすい位置に操作しやすいサイズで表示させることにより、その使用者にとっての操作性を格段に向上させることができる。
図５および図６は、この発明の他の実施形態（第２の実施形態）について説明するための図である。この実施形態に係る複写機では、図５に示すように、液晶表示器３２の表示画面において、パネルカスタマイズキー３７の下方にオートカスタマイズキー３７０が設けられており、機能キー表示部３５に「基本」、「ユーザー機能」、「機能リスト」または「プログラム」のページが表示された状態で、オートカスタマイズキー３７０を押下すると、そのページのレイアウトが各機能キーごとに設定したプライオリティに応じて自動的に変更されるようになっている。
【００３１】
たとえば、「ユーザー機能」のページに両面／分割キー、原稿画質キー、原稿サイズ選択キー、枠消しキー、表示付けキー、試しコピーキーおよびイメージ合成キーが含まれ、これらの各機能キーに対して、図６に示すようにプライオリティが設定されている場合において、「ユーザー機能」のページが機能キー表示部３５に表示された状態でオートカスタマイズキー３７０を押下すると、図５に示すようなレイアウトの「ユーザー機能」のページが機能キー表示部３５に表示される。すなわち、「ユーザー機能」のページが上段、中段および下段の３段に構成されて、上段には、プライオリティ「１」に設定された原稿サイズ選択キーおよび試しコピーキーが所定の大サイズで表示される。また、中段には、プライオリティ「２」に設定された両面／分割キー、原稿画質キーおよび表示付けキーが所定の中サイズで表示され、下段には、プライオリティ「３」に設定された枠消しキーおよびイメージ合成キーが所定の小サイズで表示される。
【００３２】
各機能キーのプライオリティは、使用者がその機能キーの使用頻度（重要度）に応じて「１」〜「３」のいずれかに変更することができる。プライオリティを変更する際には、オートカスタマイズキー３７０を押下した後、プライオリティを変更したい機能キーを押下する。すると、そのプライオリティを変更したい機能キーについてＨＤＤ５に記憶されている設定情報を列挙したウィンドウ（情報一覧ウィンドウ）が機能キー表示部３５上に重ねて表示される。そして、情報一覧ウィンドウに表示された項目の中から「プライオリティ」の項目を選択して押下すると、情報一覧ウィンドウが閉じられて、新たなプライオリティを入力するためのウィンドウが機能キー表示部３５上に重なって表示される。このプライオリティ入力ウィンドウが表示されている状態で、新たなプライオリティをテンキー３３から入力することができる。新たなプライオリティをテンキー３３から入力すると、その入力したプライオリティがＨＤＤ５に書き込まれる。この後、オートカスタマイズキー３７０を再び押下すると、プライオリティの変更された機能キーが、その変更後のプライオリティに応じた段に変更後のプライオリティに応じたサイズで表示される。
【００３３】
また、プライオリティ「１」〜「３」の機能キーがそれぞれ表示される段を変更することもできる。たとえば、プライオリティ「１」の機能キーの表示段を中段に変更する場合を例にとると、オートカスタマイズキー３７０を押下した後、プライオリティ「１」の機能キーのいずれか（図５に示す表示画面が表示されている場合、原稿サイズ選択キーまたは試しコピーキー）を押下する。すると、そのプライオリティ「１」の機能キーについてＨＤＤ５に記憶されている設定情報を列挙したウィンドウ（情報一覧ウィンドウ）が機能キー表示部３５上に重ねて表示される。そして、情報一覧ウィンドウに列挙された項目の中から「位置」の項目を選択して押下すると、情報一覧ウィンドウが閉じられて、プライオリティ「１」の機能キーについての新たな表示段を選択するためのウィンドウが機能キー表示部３５上に重なって表示される。この表示段選択ウィンドウには、上段、中段および下段のキーが表示されており、これらのキーの中から中段キーを選択して押下すると、ＨＤＤ５に記憶されているプライオリティ「１」の機能キーの表示位置（表示段）が「上段」から「中段」に書き換えられる。このプライオリティ「１」の１つの機能キーについての表示位置の変更は、プライオリティ「１」のすべての機能キーについて反映され、その後、オートカスタマイズキー３７０を再び押下すると、機能キー表示部３５において、プライオリティ「１」のすべての機能キーが中段に表示される。また、プライオリティ「１」の機能キーの表示位置が上段から中段に変更されたことに応答して、プライオリティ「２」の機能キーの表示位置が中段から上段に自動的に変更される。これにより、機能キー表示部３５には、上段にプライオリティ「２」の機能キーが所定の中サイズで表示され、中段にプライオリティ「１」の機能キーが所定の大サイズで表示され、下段にプライオリティ「３」の機能キーが所定の小サイズで表示される。
【００３４】
さらに、プライオリティ「１」〜「３」ごとに設定されている機能キーの表示サイズをそれぞれ変更することもできる。たとえば、プライオリティ「２」の機能キーの表示サイズを変更する場合を例にとると、オートカスタマイズキー３７０を押下した後、プライオリティ「２」の機能キーのいずれか（図５に示す表示画面が表示されている場合、両面／分割キー、原稿画質キーまたは表示付けキー）を押下する。すると、そのプライオリティ「２」の機能キーについてＨＤＤ５に記憶されている設定情報を列挙したウィンドウ（情報一覧ウィンドウ）が機能キー表示部３５上に重ねて表示される。そして、情報一覧ウィンドウに列挙された項目の中から「サイズ」の項目を選択して押下すると、情報一覧ウィンドウが閉じられて、新たな表示サイズを入力するためのウィンドウが機能キー表示部３５上に重なって表示される。このサイズ入力ウィンドウが表示されている状態で、上述した第１の実施形態の場合と同様にして、新たな表示サイズをテンキー３３から入力することができる。ただし、この場合、新たな表示サイズとして、プライオリティ「１」の機能キーの表示サイズよりも大きな表示サイズを入力することはできず、また、プライオリティ「３」の機能キーの表示サイズよりも小さな表示サイズを入力することはできない。新たな表示サイズをテンキー３３から入力すると、その入力した表示サイズがプライオリティ「２」の機能キーの表示サイズとしてＨＤＤ５に書き込まれる。このプライオリティ「２」の１つの機能キーについての表示サイズの変更は、プライオリティ「２」のすべての機能キーについて反映され、その後、オートカスタマイズキー３７０を再び押下すると、プライオリティ「２」のすべての機能キーが新たな表示サイズで機能キー表示部３５に表示される。
【００３５】
さらにまた、機能キー表示部３５の各表示段において、その表示段に表示されている機能キーの位置（左右方向の位置）を変更することもできる。各表示段における機能キーの表示位置を変更する際には、オートカスタマイズキー３７０を押下した後、表示位置を変更したい機能キーを押下する。すると、その機能キーについてＨＤＤ５に記憶されている設定情報を列挙したウィンドウ（情報一覧ウィンドウ）が機能キー表示部３５上に重ねて表示される。そして、情報一覧ウィンドウに列挙された項目の中から「位置」の項目を選択して押下すると、情報一覧ウィンドウが閉じられる。この後、当該機能キーの表示段内の任意の位置を指先で押下すると、その押下した位置のＸ座標およびＹ座標が取得されて、その取得されたＸ座標およびＹ座標のデータがＨＤＤ５に書き込まれる。この後、オートカスタマイズキー３７０を再び押下すると、ＨＤＤ５の記憶データに基づいて、当該機能キーの表示位置が変更されたページが機能キー表示部３５に表示される。
【００３６】
この実施形態によれば、オートカスタマイズキー３７０を押下することにより、機能キー表示部３５に表示されるページを、そのページに含まれる機能キーのプライオリティに応じたレイアウトに変更することができる。また、各機能キーのプライオリティ、プライオリティ「１」〜「３」の機能キーがそれぞれ表示される段、プライオリティ「１」〜「３」ごとに設定されている機能キーの表示サイズなどを変更することができる。よって、第１の実施形態の場合と同様に、使用者にとっての操作性を格段に向上させることができる。
【００３７】
以上、この発明の２つの実施形態について説明したが、この発明はさらに他の形態で実施することもできる。たとえば、第１の実施形態において、機能キー表示部３５に表示されるページ内で機能キーの表示位置を変更する場合に、液晶表示器３２の表示画面上で新たな表示位置（移動先）を指先で押下すると、その指先で押下した位置のＸ座標およびＹ座標が自動的に取得されるとしたが、新たな表示位置のＸ座標およびＹ座標をテンキーから入力するようにしてもよい。第２の実施形態において、機能キー表示部３５に表示されるパージ内の各表示段内で機能キーの表示位置を変更する場合も同様に、新たな表示位置のＸ座標およびＹ座標をテンキーから入力するようにしてもよい。
【００３８】
また、第２の実施形態において、任意の機能キーについてＨＤＤ５に記憶されている設定情報を列挙したウィンドウ（情報一覧ウィンドウ）を表示させ、情報一覧ウィンドウに列挙された項目の中から「位置」の項目を選択して押下した後、その機能キーが表示されている表示段と異なる表示段の適当な位置を指先で押下することにより、当該機能キーと同じプライオリティの機能キーの表示段を一括して変更することができるようにしてもよい。この場合、表示段の変更に伴って、表示段が変更された機能キーのプライオリティおよび表示サイズが、その変更後の表示段に応じたプライオリティおよび表示サイズに自動変更されるようにしてもよい。
【００３９】
さらにまた、上記の実施形態では、複写機を例にとったが、この発明は、プリンタやファクシミリ装置などの複写機以外の画像形成装置に適用されてもよい。その他、特許請求の範囲に記載された事項の範囲で種々の設計変更を施すことが可能である。
【図面の簡単な説明】
【図１】この発明の一実施形態に係る複写機の電気的構成を示すブロック図である。
【図２】液晶表示器の表示画面の構成例を示す図である。
【図３】パネルカスタマイズモードで機能キーの表示サイズおよび表示位置を変更する場合の手順の一例を説明するための図である。
【図４】パネルカスタマイズモードで機能キーの表示サイズおよび表示位置を変更する場合の液晶表示器の表示画面の遷移の一例を示す図である。
【図５】この発明の他の実施形態に係る複写機の液晶表示器の表示画面の一例を示す図である。
【図６】液晶表示器の表示画面に表示される各機能キーについてのプライオリティの設定例を示す図である。
【符号の説明】
３      操作表示部
４      制御部
３１    タッチパネル
３２    液晶表示器
３３    テンキー
３５    機能キー表示部
４１    座標取得部
４２    画面データ管理部
４３    表示制御部
【図１】
2005045370.tif 000003
【図２】
2005045370.tif 000004
【図３】
2005045370.tif 000005
【図４】
2005045370.tif 000006
【図５】
2005045370.tif 000007
【図６】
2005045370.tif 000008